(57)【要約】【課題】電力線通信装置の起動時動作を適切に行う。【解決手段】受信処理部（１１,１２,１５等）と、共存信号検出部（ＣＤＣＦ信号検出部３２）と、標識信号検出部（ビーコン信号検出部３１）と、共存信号発生部（ＣＤＣＦ信号発生部３４）および標識信号発生部（ビーコン信号発生部３３）と、送信処理部（１６,１７等）と、制御部２０とを有する。制御部２０は、ＣＤＣＦ信号の有無とそのＣＤＣＦ窓タイミングと、ビーコン信号の有無とに基づいて、窓タイミング共通化を行わないでＣＤＣＦ信号とビーコン信号を送信する第１送信、当該共通化を行って当該２つの信号を送信する第２送信、現状維持、窓タイミング共通化のみ行う、の何れかの実行または指示を行う。【選択図】図９
2008011301.tif 000002
【特許請求の範囲】
【請求項１】
変調方式が異なる複数システム間で帯域予約のための共存信号をシステムごとに異なる時間領域に割り当て可能な帯域窓と、任意情報をシステムごとに異なる時間領域に割り当て可能な通信帯域と、が交互にかつ周期的なタイミングで割り当てられている電力線通信装置であって、
電力線通信網から信号を受信して処理する受信処理部と、
前記受信処理部が受信した受信信号から前記共存信号とその前記帯域窓のタイミングを検出可能な共存信号検出部と、
前記受信信号から前記標識信号を検出可能な標識信号検出部と、
共存信号を発生する共存信号発生部と、
識別信号を発生する標識信号発生部と、
信号を処理して前記電力線通信網に送信する送信処理部と、
前記共存信号検出部が検出する前記共存信号の有無とその前記帯域窓のタイミングと、前記標識信号検出部が検出する前記識別信号の有無とに基づいて、以下の場合ごとの各動作、すなわち、
前記共存信号が検出されない場合と前記共存信号が所定周期の前記帯域窓で検出されるが前記標識信号が検出されない場合との少なくとも一方の場合に、共存信号と標識信号を発生させて前記送信処理部から送信する第１送信、
複数の前記共存信号が、周期がずれた複数の前記帯域窓で検出されるが前記標識信号が検出されない場合に、前記複数の帯域窓のタイミングを揃える窓タイミング共通化を行って当該窓タイミングが共通化された共存信号と標識信号を発生させて前記送信処理部から送信する第２送信、
前記共存信号が所定周期の前記帯域窓で検出され前記標識信号が検出される場合に、前記窓タイミング共通化、前記共存信号および前記標識信号の発生と送信とを全て行わない現状維持、および、
前記複数の共存信号が、周期がずれた前記複数の帯域窓で検出され、かつ、前記標識信号が検出される場合に前記共存信号および前記標識信号の発生と送信を行わないときの前記窓タイミング共通化
の何れかの実行、または、前記共存信号発生部、前記標識信号発生部および前記送信処理部への実行指示を行う制御部と
を有する電力線通信装置。
【請求項２】
前記制御部は、起動指示の入力に応じて前記共存信号の検出を前記共存信号検出部に指示し、共存信号が検出される場合に前記標識信号の検出を前記標識信号検出部に指示し、標識信号が検出される場合と検出されない場合との２つの場合で前記共存信号検出部によって前記複数の共存信号が、周期がずれた前記複数の帯域窓で検出されるかを調べる窓タイミング確認を行い、前記共存信号の検出結果、前記標識信号の検出結果、前記窓タイミング確認の結果の少なくとも一の結果に基づいて、前記第１送信、前記第２送信、前記現状維持、前記窓タイミング共通化の何れかを実行または指示する
請求項１に記載の電力線通信装置。
【請求項３】
前記制御部は、前記標識信号の検出を前記標識信号検出部に指示し、標識信号が検出されない場合に前記共存信号の検出を前記共存信号検出部に指示し、当該共存信号検出部で共存信号が検出される場合と前記標識信号検出部で前記標識信号が検出される場合との２つの場合で、前記共存信号検出部によって前記複数の共存信号が、周期がずれた前記複数の帯域窓で検出されるかを調べる窓タイミング確認を行い、前記標識信号の検出結果、前記共存信号の検出結果、前記窓タイミング確認の結果の少なくとも一の結果に基づいて、前記第１送信、前記第２送信、前記現状維持、前記窓タイミング共通化の何れかを実行または指示する
請求項１に記載の電力線通信装置。
【請求項４】
前記制御部は、起動指示の入力に応じて前記共存信号の検出を前記共存信号検出部に指示し、共存信号が検出される場合に前記共存信号検出部によって前記複数の共存信号が、周期がずれた前記複数の帯域窓で検出されるかを調べる窓タイミング確認を行い、当該窓タイミング確認で前記複数の共存信号の検出が確認されない場合に前記標識信号の検出を前記標識信号検出部に指示し、前記共存信号の検出結果、前記窓タイミング確認の結果、前記標識信号の検出結果の少なくとも一の結果に基づいて、前記第１送信、前記第２送信、前記現状維持、前記窓タイミング共通化の何れかを実行または指示する
請求項１に記載の電力線通信装置。
【請求項５】
変調方式が異なる複数システム間で帯域予約のための共存信号をシステムごとに異なる時間領域に割り当て可能な帯域窓と、任意情報をシステムごとに異なる時間領域に割り当て可能な通信帯域と、が交互にかつ周期的なタイミングで割り当てられている電力線通信装置の起動時動作方法であって、
起動指示の入力に応じて受信信号から前記共存信号とその前記帯域窓のタイミングを検出する共存検出のステップと、
前記共存検出で前記共存信号が検出される場合に受信信号から前記標識信号を検出する標識検出のステップと、
前記標識検出で前記標識信号が検出されない場合に前記共存検出で前記共存信号が、周期がずれた複数の前記帯域窓で検出されるかを調べる第１窓タイミング確認のステップと、
前記標識検出で前記標識信号が検出される場合に前記共存検出で前記共存信号が、周期がずれた複数の前記帯域窓で検出されるかを調べる第２窓タイミング確認のステップと、
前記複数の帯域窓のタイミングを揃える窓タイミング共通化のステップと、
前記共存信号と前記標識信号を発生させる信号発生のステップと、
前記共存信号と前記標識信号とを送信する送信のステップと、
を含み、
前記共存検出の結果、前記標識検出の結果、前記第１および第２窓タイミング確認の結果の少なくとも一の結果に基づいて、以下の場合ごとの各動作、すなわち、
前記共存信号が検出されない場合と前記共存信号が検出されるが前記標識信号が検出されず前記第１窓タイミング確認で前記複数の帯域窓の検出が確認されない場合との２つの場合に、前記共存信号と前記標識信号を発生させて送信する第１送信、
前記標識信号が検出されないが前記第１窓タイミング確認で前記複数の帯域窓の検出が確認される場合に、前記窓タイミング共通化を行って当該窓タイミングが共通化された共存信号と前記標識信号を発生させて送信する第２送信、
前記標識信号が検出されるが前記第２窓タイミング確認で前記複数の共存信号の検出が確認されない場合に、前記窓タイミング共通化、前記共存信号および前記標識信号の発生と送信を全て行わない現状維持、および、
前記標識信号が検出され、かつ、前記第２窓タイミング確認で前記複数の共存信号の検出が確認される場合に前記共存信号および前記標識信号の発生と送信を行わないときの前記窓タイミング共通化
の何れかの実行する
電力線通信装置の起動時動作方法。
【請求項６】
変調方式が異なる複数システム間で帯域予約のための共存信号をシステムごとに異なる時間領域に割り当て可能な帯域窓と、任意情報をシステムごとに異なる時間領域に割り当て可能な通信帯域と、が交互にかつ周期的なタイミングで割り当てられている電力線通信装置の起動時動作方法であって、
起動指示の入力に応じて受信信号から前記標識信号を検出する標識検出のステップと、
前記標識検出で前記標識信号が検出されない場合に受信信号から前記共存信号とその前記帯域窓のタイミングを検出する共存検出のステップと、
前記共存信号が検出される場合に当該共存検出で前記共存信号が、周期がずれた複数の前記帯域窓で検出されるかを調べる第１窓タイミング確認のステップと、
前記標識信号が検出される場合に前記共存検出で前記複数の共存信号が、周期がずれた複数の前記帯域窓で検出されるかを調べる第２窓タイミング確認のステップと、
前記複数の帯域窓のタイミングを揃える窓タイミング共通化のステップと、
前記共存信号と前記標識信号を発生させる信号発生のステップと、
前記共存信号と前記標識信号とを送信する送信のステップと、
を含み、
前記共存検出の結果、前記第１および第２窓タイミング確認の結果、前記標識検出の結果の少なくとも一の結果に基づいて、以下の場合ごとの各動作、すなわち、
前記標識信号と前記共存信号が共に検出されない場合と前記第１窓タイミング確認で前記複数の帯域窓の検出が確認されない場合との２つの場合に、前記共存信号と前記標識信号を発生させて送信する第１送信、
前記第１窓タイミング確認で前記複数の帯域窓の検出が確認される場合に前記窓タイミング共通化を行って当該窓タイミングが共通化された共存信号と前記標識信号を発生させて送信する第２送信、
前記第２窓タイミング確認で前記複数の帯域窓の検出が確認されない場合に、前記窓タイミング共通化、前記共存信号および前記標識信号の発生と送信を全て行わない現状維持、および、
前記第２窓タイミング確認で前記複数の帯域窓の検出が確認される場合に、前記共存信号および前記標識信号の発生と送信を行わないときの前記窓タイミング共通化
の何れかの実行する
電力線通信装置の起動時動作方法。
【請求項７】
変調方式が異なる複数システム間で帯域予約のための共存信号をシステムごとに異なる時間領域に割り当て可能な帯域窓と、任意情報をシステムごとに異なる時間領域に割り当て可能な通信帯域と、が交互にかつ周期的なタイミングで割り当てられている電力線通信装置の起動時動作方法であって、
起動指示の入力に応じて受信信号から前記共存信号とその前記帯域窓のタイミングを検出する共存検出のステップと、
前記共存検出で前記共存信号が検出される場合に前記複数の共存信号が、周期がずれた前記複数の帯域窓で検出されるかを調べる窓タイミング確認のステップと、
前記窓タイミング確認で前記複数の共存信号の検出が確認されない場合に受信信号から前記標識信号を検出する標識検出のステップと、
前記窓タイミング確認で前記複数の共存信号が確認される場合に前記複数の帯域窓のタイミングを揃える窓タイミング共通化のステップと、
前記共存信号と前記標識信号を発生させる信号発生のステップと、
前記共存信号と前記標識信号とを送信する送信のステップと、
を含み、
前記共存検出の結果、前記窓タイミング確認の結果、前記標識検出の結果の少なくとも一の結果に基づいて、以下の場合ごとの各動作、すなわち、
前記共存信号が検出されない場合と前記共存信号が所定周期の前記帯域窓で検出されるが前記標識信号が検出されない場合との２つの場合に、前記共存信号と前記標識信号を発生させて送信する第１送信、
前記窓タイミング確認で前記複数の帯域窓の検出が確認される場合に前記窓タイミング共通化を行って当該窓タイミングが共通化された共存信号と前記標識信号を発生させて送信する第２送信、
前記窓タイミング確認で前記複数の帯域窓の検出が確認されない場合に、前記窓タイミング共通化、前記共存信号および前記標識信号の発生と送信を全て行わない現状維持、および、
前記窓タイミング確認で前記複数の帯域窓の検出が確認されるが前記標識検出で前記標識信号が検出される場合に前記共存信号および前記標識信号の発生と送信を行わないときの前記窓タイミング共通化
の何れかの実行する
電力線通信装置の起動時動作方法。
【発明の詳細な説明】
【技術分野】
【０００１】
本発明は、システム共存の帯域予約のための帯域窓とデータ通信のための通信帯域とが交互に所定周期で割り当てられている電力線通信装置と、その起動時動作方法に関する。
【背景技術】
【０００２】
電力線を利用する通信装置には、様々な方式が存在する。
例えば、変調方式としてはＡＳＫ（Amplitude Shift Keying）、ＦＳＫ（Frequency Shift Keying）、ＰＳＫ（Phase Shift Keying）などがあり、伝送方式としては単一キャリア方式、ＯＦＤＭ（Orthogonal Frequency Division Multiplexing）方式があり、またスペクトラム拡散方式も利用されている。
【０００３】
しかし、これらの方式が異なると互いに通信することができない。
例えば、同じＯＦＤＭ方式であっても、占有帯域幅、サブキャリア間隔、サブキャリアの変調方式、同期信号、符号方式、アクセス制御方式、データフォーマットなどの仕様のうちどれか１つでも異なると互いに通信することができない。以下、「方式が異なる」というときは、このような通信仕様が違うことを意味する。
【０００４】
このように互いに通信することができない異なる方式の装置が同じ家庭に存在すると、両者の送信信号が衝突を起こし通信不良が発生する。そして、最悪の場合には双方とも全く通信することができなくなる。今後電力線通信装置の普及が進むと、方式が異なる通信装置の干渉を如何にして低減または防止し、その共存を図るかが重要になると予想される。
【０００５】
方式の異なる無線通信システムの共存に関し、異なる方式の通信装置が送受信可能な信号（ビーコン信号）を用意して通信タイミングの調整を行う技術が知られている（たとえば特許文献１参照）。
【０００６】
一般的な無線ＬＡＮでビーコン信号は、例えば、以下の使われ方をする。
親機（マスタ局）がビーコン信号という無線標識信号（ＯＦＤＭ変調された制御用パケットの一種）を周期的に報知する。子機（スレーブ局）は、すべての無線チャネル上に送出されているビーコン信号を受信し、このビーコン信号を基に最適な親機を選択する。続いて子機は、選択した親機へ認証を要求し、親機は自身のネットワークへの接続を希望する子機の認証を行うかを決め、認証できる子機ならば互いに管理用信号をやり取りして、以後、当該子機を正式な無線ＬＡＮ端末として取り扱う。
【０００７】
このようにビーコン信号は、そのマスタ局が管理するネットワークとそれに接続している機器（以下、ネットワークおよびその接続機器を「システム」ともいう）の無線識別信号として用いられマスタ局から発信される、当該システム内の制御信号の一種である。
前述した特許文献１に記載されている発明は、システム間で共通に定義されたビーコン信号に伝送パラメータ等の詳細な制御情報を持たせることによって異なるシステム間の共存を図るものである。
【０００８】
一方、電力線通信の分野では、通信装置（たとえばＰＬＣモデム）同士を共存させるために、異なる方式のモデムが認識可能な共存制御信号（以下、共存信号という）として、ＣＤＣＦ(commonly distributed coordination function)信号を定義し、それを用いて帯域予約のためのシステム仕様を策定することが検討されている（たとえば非特許文献１参照）。
【０００９】
電力線通信では、既設の電灯線を用いることから方式の統一が困難であり、方式共存のための仕様はできるだけ簡潔にする必要がある。
したがって、ＣＤＣＦ信号は最近の高速なモデムが採用している方式を前提にＯＦＤＭ方式を採用しているが、モデム同士が詳細な情報を交換できるわけではなく、帯域予約を行うマスタ局の存在を知らせ合える程度のものである。
【特許文献１】特開２００３−２５８８１２号公報
【非特許文献１】CEPCA Technical Work Group,“ＣＥＰＣＡ技術仕様”,ＣＥＰＣＡ技術セミナー,２００６年４月５日,インターネット＜URL：http://www.cepca.org/about_us/Events/past_events/japan_seminar/CEPCA_SeminarSpecification.pdf＞
【発明の開示】
【発明が解決しようとする課題】
【００１０】
特許文献１には、異なるシステム間の共存のために方式間で共通なビーコン信号（標識信号の一種）を用い、この信号により互いに無線ネットワークの存在やその利用状況を確認することができると記載されている。
電力線通信においては、共存信号（たとえばＣＤＣＦ信号）が同様な機能を持つが、電力線通信のネットワークは新たに導入されたものに限らず既存の設備を利用するため、共存信号に詳細情報を持たせると、多くの機器で対応できない状況が生まれる懸念があり、それでは電力線通信の普及が進まない。したがって電力線通信仕様では、共存信号はその信号の有無と、その信号専用の帯域（帯域窓）内でのタイミングとが重要な意味を持つ信号として規定している。
【００１１】
ＣＤＣＦ信号に関し、帯域窓内で割り当てられた時間または周波数の領域と、その意味との対応が前述した非特許文献１に開示されている。
しかし、電力線通信で共存可能な各システムにはネットワーク接続認証のための標識信号（たとえばビーコン信号）が存在し、モデム等の通信装置が起動されたときに、共存信号と標識信号の両方をどのような手順で検出し、起動時の初期動作を行うとよいかが非特許文献１に開示されていない。
【００１２】
本発明が解決しようとする課題は、起動時動作を適切に行うことができる構成の電力線通信装置と、その起動時動作方法を提供することである。
【課題を解決するための手段】
【００１３】
本発明に係る電力線通信装置は、変調方式が異なる複数システム間で帯域予約のための共存信号をシステムごとに異なる時間領域に割り当て可能な帯域窓と、任意情報をシステムごとに異なる時間領域に割り当て可能な通信帯域と、が交互にかつ周期的なタイミングで割り当てられている電力線通信装置であって、電力線通信網から信号を受信して処理する受信処理部と、前記受信処理部が受信した受信信号から前記共存信号とその前記帯域窓のタイミングを検出可能な共存信号検出部と、前記受信信号から前記標識信号を検出可能な標識信号検出部と、共存信号を発生する共存信号発生部と、識別信号を発生する標識信号発生部と、信号を処理して前記電力線通信網に送信する送信処理部と、制御部とを有する。
前記制御部は、前記共存信号検出部が検出する前記共存信号の有無とその前記帯域窓のタイミングと、前記標識信号検出部が検出する前記識別信号の有無とに基づいて、以下の場合ごとの各動作、すなわち第１送信、第２送信、現状維持、窓タイミング共通化の動作の何れかの実行、または、前記共存信号発生部、前記標識信号発生部および前記送信処理部への実行指示を行う。
（１）第１送信：
前記共存信号が検出されない場合と前記共存信号が所定周期の前記帯域窓で検出されるが前記標識信号が検出されない場合との少なくとも一方の場合に、前記共存信号と前記標識信号を発生させて前記送信処理部から送信する。
（２）第２送信：
複数の前記共存信号が、周期がずれた複数の前記帯域窓で検出されるが前記標識信号が検出されない場合に、前記複数の帯域窓のタイミングを揃える窓タイミング共通化を行って当該窓タイミングが共通化された共存信号と標識信号を発生させて前記送信処理部から送信する。
（３）現状維持：
前記共存信号が所定周期の前記帯域窓で検出され前記標識信号が検出される場合に、前記窓タイミング共通化、前記共存信号および前記標識信号の発生と送信とを全て行わない。
（４）窓タイミング共通化：
前記複数の共存信号が、周期がずれた前記複数の帯域窓で検出され、かつ、前記標識信号が検出される場合に前記共存信号および前記標識信号の発生と送信を行わないときの動作である。
【００１４】
本発明に係る電力線通信の起動時動作方法は、変調方式が異なる複数システム間で帯域予約のための共存信号をシステムごとに異なる時間領域に割り当て可能な帯域窓と、任意情報をシステムごとに異なる時間領域に割り当て可能な通信帯域と、が交互にかつ周期的なタイミングで割り当てられている電力線通信装置の起動時動作方法である。
【００１５】
本発明の第１観点の起動時動作方法は、起動指示の入力に応じて受信信号から前記共存信号とその前記帯域窓のタイミングを検出する共存検出のステップと、前記共存検出で前記共存信号が検出される場合に受信信号から前記標識信号を検出する標識検出のステップと、前記標識検出で前記標識信号が検出されない場合に前記共存検出で前記共存信号が、周期がずれた複数の前記帯域窓で検出されるかを調べる第１窓タイミング確認のステップと、前記標識検出で前記標識信号が検出される場合に前記共存検出で前記共存信号が、周期がずれた複数の前記帯域窓で検出されるかを調べる第２窓タイミング確認のステップと、前記複数の帯域窓のタイミングを揃える窓タイミング共通化のステップと、前記共存信号と前記標識信号を発生させる信号発生のステップと、前記共存信号と前記標識信号とを送信する送信のステップとを含む。
そして、前記共存検出の結果、前記標識検出の結果、前記第１および第２窓タイミング確認の結果の少なくとも一の結果に基づいて、以下の動作の何れかを実行する。
（１Ａ）第１送信：
前記共存信号が検出されない場合と前記共存信号が検出されるが前記標識信号が検出されず前記第１窓タイミング確認で前記複数の帯域窓の検出が確認されない場合との２つの場合に、前記共存信号と前記標識信号を発生させて送信する。
（２Ａ）第２送信：
前記標識信号が検出されないが前記第１窓タイミング確認で前記複数の帯域窓の検出が確認される場合に、前記窓タイミング共通化を行って当該窓タイミングが共通化された共存信号と前記標識信号を発生させて送信する。
（３Ａ）現状維持：
前記標識信号が検出されるが前記第２窓タイミング確認で前記複数の共存信号の検出が確認されない場合に、前記窓タイミング共通化、前記共存信号および前記標識信号の発生と送信を全て行わない。
（４Ａ）窓タイミング共通化：
前記標識信号が検出され、かつ、前記第２窓タイミング確認で前記複数の共存信号の検出が確認される場合に前記共存信号および前記標識信号の発生と送信を行わないときの動作である。
【００１６】
本発明の第２観点の起動時動作方法は、起動指示の入力に応じて受信信号から前記標識信号を検出する標識検出のステップと、前記標識検出で前記標識信号が検出されない場合に受信信号から前記共存信号とその前記帯域窓のタイミングを検出する共存検出のステップと、前記共存信号が検出される場合に当該共存検出で前記共存信号が、周期がずれた複数の前記帯域窓で検出されるかを調べる第１窓タイミング確認のステップと、前記標識信号が検出される場合に前記共存検出で前記複数の共存信号が、周期がずれた複数の前記帯域窓で検出されるかを調べる第２窓タイミング確認のステップと、前記複数の帯域窓のタイミングを揃える窓タイミング共通化のステップと、前記共存信号と前記標識信号を発生させる信号発生のステップと、前記共存信号と前記標識信号とを送信する送信のステップとを含み、前記共存検出の結果、前記第１および第２窓タイミング確認の結果、前記標識検出の結果の少なくとも一の結果に基づいて、以下の動作の何れかを実行する。
（１Ｂ）第１送信：
前記標識信号と前記共存信号が共に検出されない場合と前記第１窓タイミング確認で前記複数の帯域窓の検出が確認されない場合との２つの場合に、前記共存信号と前記標識信号を発生させて送信する。
（２Ｂ）第２送信：
前記第１窓タイミング確認で前記複数の帯域窓の検出が確認される場合に前記窓タイミング共通化を行って当該窓タイミングが共通化された共存信号と前記標識信号を発生させて送信する。
（３Ｂ）現状維持：
前記第２窓タイミング確認で前記複数の帯域窓の検出が確認されない場合に、前記窓タイミング共通化、前記共存信号および前記標識信号の発生と送信を全て行わない。
（４Ｂ）窓タイミング共通化：
前記第２窓タイミング確認で前記複数の帯域窓の検出が確認される場合に前記共存信号および前記標識信号の発生と送信を行わないときの動作である。
【００１７】
本発明の第３観点の起動時動作方法は、起動指示の入力に応じて受信信号から前記共存信号とその前記帯域窓のタイミングを検出する共存検出のステップと、前記共存検出で前記共存信号が検出される場合に前記複数の共存信号が、周期がずれた前記複数の帯域窓で検出されるかを調べる窓タイミング確認のステップと、前記窓タイミング確認で前記複数の共存信号の検出が確認されない場合に受信信号から前記標識信号を検出する標識検出のステップと、前記窓タイミング確認で前記複数の共存信号が確認される場合に前記複数の帯域窓のタイミングを揃える窓タイミング共通化のステップと、前記共存信号と前記標識信号を発生させる信号発生のステップと、前記共存信号と前記標識信号とを送信する送信のステップとを含み、前記共存検出の結果、前記窓タイミング確認の結果、前記標識検出の結果の少なくとも一の結果に基づいて、以下の動作の何れかを実行する。
（１Ｃ）第１通信動作：
前記共存信号が検出されない場合と前記共存信号が所定周期の前記帯域窓で検出されるが前記標識信号が検出されない場合との２つの場合に、前記共存信号と前記標識信号を発生させて送信する。
（２Ｃ）第２送信：
前記窓タイミング確認で前記複数の帯域窓の検出が確認される場合に前記窓タイミング共通化を行って当該窓タイミングが共通化された共存信号と前記標識信号を発生させて送信する。
（３Ｃ）現状維持：
前記窓タイミング確認で前記複数の帯域窓の検出が確認されない場合に、前記窓タイミング共通化、前記共存信号および前記標識信号の発生と送信を全て行わない。
（４Ｃ）窓タイミング共通化：
前記窓タイミング確認で前記複数の帯域窓の検出が確認されるが前記標識検出で前記標識信号が検出される場合に前記共存信号および前記標識信号の発生と送信を行わないときの動作である。
【発明の効果】
【００１８】
本発明によれば、電力線通信装置の起動時動作を適切に行うことができる。
【発明を実施するための最良の形態】
【００１９】
以下、本発明の実施形態を、図面を参照して説明する。
【００２０】
図１に、本実施形態に係る電力線通信システムの機器接続形態を示す。図１は、２つの宅内の電灯線１１１と１１２とを用いた電力線通信システムの概略構成を示す。
電灯線１１１の幹線から各々分岐して壁コンセント(wall socket)ＷＳ１とＷＳ３が設けられている。
壁コンセントＷＳ１に、たとえばＰＬＣモデム等の通信装置１−１のＡＣコードが接続されている。通信装置１−１にＬＡＮケーブル等を介して、たとえばパーソナルコンピュータ（ＰＣ）等の機器７１が接続されている。
壁コンセントＷＳ３に、たとえばプリンタ等、通信とは無関係な他の機器７３が接続され、ここでの反射等が通信品質の低下を招く。
【００２１】
一方、他の宅内に敷設されている電灯線１１２の幹線から分岐して壁コンセントＷＳ２が設けられている。
壁コンセントＷＳ２に、たとえばＰＬＣモデム等の通信装置１−２のＡＣコードが接続されている。通信装置１−２にＬＡＮケーブル等を介して、たとえばＰＣ等の機器７２が接続されている。
【００２２】
電力線搬送通信は、図１に示すように電灯線を伝送路として利用する通信で、屋内に新たに通信線を配線する必要が無く、利便性の高い通信手段と期待されている。
【００２３】
電力線を利用して通信を行う電力線搬送通信は１５０[kHz]から４５０[kHz]を利用するものと、２[MHz]から３０[MHz]を利用するものがあり、日本では前者の周波数帯を利用する装置のみ認可されている。
近年、後者の周波数帯を利用する通信装置が米国において認可され、日本においても現在認可に向けて利用条件の検討が行われている。後者の周波数帯を利用する通信装置は高速伝送が可能であることから、様々な用途が提案されており、今後普及が進むことが予想される。
【００２４】
２[MHz]から３０[MHz]を利用すると高速通信が可能であるが、無線ＬＡＮのように１００[MHz]から２００[MHz]と広い帯域幅があって、それを複数のチャネルに分割して利用するという使い方ができない。
したがって、電力線通信では１つのチャネルを異なる通信装置（モデム）が共用しなければならない。
【００２５】
図２は、同一家屋内におけるモデム間干渉を、図３は異なる家屋間におけるモデム間干渉を説明するための図である。
図２において、家屋１０７には電灯線１１１が配設され、当該電灯線１１１は分電盤１０２を介して不図示の屋外電力線に接続されている。
電灯線１１１に対し、通信装置１−１を介して機器７１が接続され、通信装置１−２を介して通信装置７４が接続され、通信装置１−３を介して機器７５が接続され、また、通信装置１−４が接続されている。図２は、機器７１と７４がＰＣ、機器７５が映像の録画再生が可能なビジュアル家電機器を示している。また、通信装置１−１〜１−４はＰＬＣモデムの場合である。
【００２６】
図２で通信装置１−１と１−２が通信しており、通信装置１−３と１−４が通信している場合を考える。このときの通信経路を図２では実線により示している。
このような２つの通信を、同一電灯線１１１を介して行う場合、図２で破線により示すように、互いの通信が干渉し、これが電灯線１１１の雑音成分を増大させ、互いに通信を妨害する要因となる。
【００２７】
図３において家屋１０７では、機器７１と７４が電灯線１１１を介して通信しているとする。このとき同時に、他の家屋１０８が独自に通信を開始する場合を考える。家屋１０８内の電灯線１１２に機器７２が設けられ、その通信機能を利用して信号を屋外に送信する。その信号は、分電盤１０４から電力線１０を通って電柱等に設けられている中継器１０６に伝達される。そして、この信号は中継器１０６から他の電力線１０、分電盤１０２を通って家屋１０７内の電灯線１１１に伝わる。このとき家屋１０７では、機器７１と７４が通信していることから、その外部からの信号が妨害波となることがある。
【００２８】
つぎに、電力線通信仕様、特にシステム共存を実現するための帯域予約とデータ通信のため帯域割り当てについて説明する。
以下、共存信号としてＣＤＣＦ信号を用いることを前提とする。なお、共存信号は電力線通信仕様によって他の名称で呼ばれることがあり、ＣＤＣＦ信号はその一例である。
【００２９】
図４に、帯域割り当ての概略説明図を示す。
図解した電力線通信仕様では、所定時間幅を有する帯域窓としてのＣＤＣＦ窓１２０と、それに続く所定時間幅の通信領域としてのスロット１３０Ａ,１３０Ｂ,１３０Ｃ,…とを１サイクルとして、このサイクルが繰り返されている。
ＣＤＣＦ窓１２０が「変調方式が異なる複数のシステムを共存させる帯域予約のための共存信号をシステムごとに異なるタイミングで割り当て可能な帯域窓」であり、ＣＤＣＦ窓１２０間のスロット１３０Ａ,１３０Ｂ,１３０Ｃ,…が「任意情報をシステムごとに異なる時間領域に割り当て可能な通信帯域」である。
【００３０】
図５（Ｂ）にＣＤＣＦ窓１２０の構成、図５（Ｃ）にスロット１３０ｉ（ｉ：任意のアルファベット）の構成を模式的に示す。
ＣＤＣＦ窓１２０は幾つかのブロックに区分されている。図５（Ｂ）では、そのうちＣＤＣＦ信号を送信するためのブロックのみ示す。図ではシステム＃１のＣＤＣＦ信号１２１がブロック１２０Ａで伝送され、システム＃２のＣＤＣＦ信号１２２がブロック１２０Ｂで伝送されている様子を示す。ブロック１２０Ｃはシステム＃３に対応するが図ではＣＤＣＦ信号が伝送されていない。共存可能なシステムに応じてブロックが設けられている。このうちどのブロックにＣＤＣＦ信号が存在するかによって、ＣＤＣＦ信号（共存信号）のＣＤＣＦ窓（帯域窓）内のタイミングが決まる。
【００３１】
なお、ＣＤＣＦ窓１２０のブロックが宅内系システム用途と、アクセス系システム用途とに、例えば周波数を分けて設けられる場合、システムごとに使用中と使用要求表示とのブロックを分ける場合、アクセス系の存在表示や時分割多重（ＴＤＭ：time division multiplex）、周波数分割多重（ＦＤＭ：frequency division multiplex）の違いを表示し、帯域予約でなくベストエフォート型伝送方式であることの表示や要求のためのブロックなど、様々なブロックを有してもよい。ＣＤＣＦ信号の帯域窓内タイミング変更のためのブロックも設けられ、これを利用してシステム変更が可能である。
【００３２】
このように、これらのブロックは領域（時間領域、即ちタイミング、または、周波数領域）に意味を持ち、したがってＣＤＣＦ信号がどのブロックで伝送されるかが重要である。つまり、図５（Ｂ）ではブロック１２０Ａと１２０ＢにＣＤＣＦ信号が立っているため、システム＃１と＃２で共存のため帯域予約を行う又は行われていることが分かる。
【００３３】
このＣＤＣＦ窓１２０の仕様に対応して、スロット１３０Ａ,１３０Ｂ,１３０Ｃ,…の使い方が規定されている。
各スロットは図５（Ｃ）に示すように、ベストエフォートのためのサブスロット１３１等のほかに、ＣＤＣＦ窓１２０が想定するシステム数だけデータ伝送のためのサブスロット、本例ではＴＤＭＡサブスロット１３２,１３３,…を有している。
システム＃１のＣＤＣＦ信号１２１がＣＤＣＦ窓１２０内に存在するときに、各スロットのＴＤＭＡサブスロット１３２が使用可能であり、システム＃２のＣＤＣＦ信号１２２がＣＤＣＦ窓１２０内に存在するときに、各スロットのＴＤＭＡサブスロット１３３が使用可能であり、この関係は他のシステムでも同様である。
この構成を利用して帯域予約が可能である。帯域予約をしない場合は、ベストエフォートのためのサブスロット１３１を使用することとなるが、その使用率によって伝送速度が影響を受ける。これに対し、帯域予約の場合はＣＤＣＦ信号を伝送することによって使用領域の優先使用が確保され、他のシステムの影響が排除される。
【００３４】
このようにＣＤＣＦ信号は異なる方式のモデムが利用するデータや制御信号の伝送領域が重ならないように調停することが目的であり、各方式内の標識信号であるビーコン信号とは異なる。
ビーコン信号は、各システム内のマスタ局の存在を知らせるために、通常、マスタ局が起動されている限りシステムごとに規定される一定間隔で送信される。ビーコン信号は、図５（Ａ）に示すように、スロット１３０ｉを利用して伝送される。図ではシステム＃１のビーコン信号１４１と、システム＃２のビーコン信号１４２が発信されている様子を示す。
このためマスタ局がビーコン信号を発信するには、先にＣＤＣＦ信号を利用して帯域予約する必要がある。
また、ビーコン信号はシステム固有の信号であるため、システムが異なると検出できない。よって、図５に示す２種類のビーコン信号について、システム＃１からはビーコン信号１４１しか見えず（検出できず）、システム＃２からはビーコン信号１４２しか見えない。
【００３５】
モデム等の通信装置が起動されたときに、ＣＤＣＦ信号が複数検出される場合があり、さらにビーコン信号が検出される場合とされない場合がある。ＣＤＣＦ信号が複数検出される場合、異なるシステム間の調停作業が必要である。また、システム内の調停の作業が必要な場合がある。
ビーコン信号を用いたシステム内調停に関しては基本的には、モデムメーカ各社に依存する。
本実施形態では、そのビーコン信号の検出までを行い、その後は、ビーコン信号を検出した通信装置が、その発信元のマスタ局との間で制御信号をやり取りすることで上記システム内の調停が行われる。
【００３６】
一方、ＣＤＣＦ窓を時間基準にして後続のデータ領域の帯域割り当て（例えばスロット内の使用可能なサブスロット）が決定されるため、システム同士がＣＤＣＦ信号によって互いに検出できる場合には、ＣＤＣＦ窓のタイミングを一致させる必要がある。なぜなら、ＣＤＣＦ信号を用いた共存ルールでは、ＣＤＣＦ窓のタイミングを一致させない状態で帯域予約を行うと、共存ルールの下での帯域予約ができず、互いに信号が干渉する蓋然性が高いからである。
ＣＤＣＦ窓のタイミングを一致させること、または、一致のための作業を以下、「窓タイミングの共通化」と称する。
【００３７】
この複数検出されるＣＤＣＦ信号のどちらのＣＤＣＦ信号が自システムのものであるかは、ビーコン信号を検出し、それに続くシステム情報を読み出すことにより判断できる。システム情報（例えばシステムＩＤ）は通常、３２ビット或いはそれ以上必要であるため、ＣＤＣＦ信号を用いた共存で、この情報を交換することはできない。ＣＤＣＦ信号を用いた共存では、各システムのデータが衝突することがないように、データのシステムごとの割り当て領域を時系列（または周波数帯域に分けて）に配置するルールを規定しているに過ぎないからである。
【００３８】
図６（Ａ）〜図６（Ｃ）に、サブスロットの割り当て例を示す。
本例では、図６（Ａ）に示すように、ＣＤＣＦ窓１２０が所定の時間ピッチ（周期）、たとえば１００〜２００[ms]で繰り返され、そのＣＤＣＦ窓１２０の間がさらに所定の時間間隔、たとえば１０〜２０[ms]に分けられてｎ個のスロット１３０ｉ(i=1,2,3,4,…,n-1,n)に時分割されている。
各ＣＤＣＦ窓１２０は、図６（Ｂ）に示すように、５つのブロック１２０Ａ,１２０Ｂ,１２０Ｃ,１２０Ｄ,１２０Ｅを有する。また、各スロット領域１３０ｉは、本例では４つのサブスロット）１３１,１３２,１３３,１３４に時分割されている。
ＣＤＣＦ窓１２０の最初のブロック１２０ＡにＣＤＣＦ信号が存在すると、そのことがサブスロット１３１を用いたデータ伝送が可能なことを意味する。同様に、ブロック１２０ＢにＣＤＣＦ信号が存在すると、そのことがサブスロット１３２を用いたデータ伝送が可能なことを意味し、ブロック１２０ＣにＣＤＣＦ信号が存在すると、そのことがサブスロット１３３を用いたデータ伝送が可能なことを意味し、ブロック１２０ＤにＣＤＣＦ信号が存在すると、そのことがサブスロット１３４を用いたデータ伝送が可能なことを意味する。
本例では、サブスロット１３１がベストエフォート型データ伝送に割り当てられ、その他の３つのサブスロット１３２,１３３,１３４が帯域保証型データ伝送に割り当てられている。サブスロット１３２,１３３,１３４は、それぞれシステム＃１,＃２,＃３に対応づけられている。
【００３９】
また、ＣＤＣＦ窓１２０内の最後のブロック１２０Ｅは、ＣＤＣＦ窓のタイミング変更要求のためのブロックである。このブロック１２０Ｅに窓タイミング変更要求信号が存在すると、この窓タイミング変更要求信号を検出した他システムのマスタ局は、自身が使用しているＣＤＣＦ窓の送出タイミングを変更しなければならない。
ＣＤＣＦ窓の送出タイミングは、たとえば電源周期に対して決めることができる。即ち、ＣＤＣＦ窓１２０の時間ピッチ（周期）が２００[ms]の場合、たとえば電源の１／６周期ごとにタイミング変更が可能とすると、ＣＤＣＦ窓が取りうるタイミングは６０通り存在する。ＣＤＣＦ窓のタイミング要求信号を受けた上記マスタ局は、自システムが現在使用している窓タイミング以外の５９通りの何れかにＣＤＣＦ窓を変更する。このとき、ＣＤＣＦ窓のタイミング要求信号を受けた上記マスタ局は、自システムのＣＤＣＦ信号以外のＣＤＣＦ信号をサーチし、他システムのＣＤＣＦ信号が検出できた場合、その他システムのＣＤＣＦ信号を含む窓タイミングに、自システムの窓タイミングから乗り換えを行うことができる。
この窓タイミング変更要求信号の送信と窓タイミングの確認を、窓タイミングが一致するまで行うことで、前述した窓タイミングの共通化が可能である。
以上により、自システムのまたは他システムのＣＤＣＦ信号を正しく受信でき、またシステム同士が互いに干渉する関係にある場合、窓タイミングの共通化を行ってデータ衝突を回避することが可能である。
【００４０】
図７に、３つのシステム（ここでは家屋）を模式的に示す。
いま、家屋１ではモデム１−１とモデム１−２が電灯線を介した通信を行っており、家屋３ではモデム３−１とモデム３−２が通信を行っている。
このとき家屋１と３間の電力線１０の長さ（距離）が長く、家屋１と３の中間に位置する家屋２のシステムは停止しているため通信干渉がほとんどないとする。
この場合、家屋３からのＣＤＣＦ信号の家屋１での検出レベルが、逆に、家屋１からのＣＤＣＦ信号の家屋３での検出レベルが、ＣＤＣＦ信号が検出できないか、検出されたとしても干渉とはならない程度に十分小さいレベルである。したがって、この２つの動作しているシステムは、独立に動作することが可能である。
【００４１】
図７において家屋１と３が通信中に家屋２のモデム２−１または２−２が起動した場合を考える。
図８は、そのときのシステム干渉を表している。また、図９に家屋２内のモデムが起動されたときに観測される信号例を示す。
【００４２】
家屋２のシステムが起動したときに、家屋２からは、家屋１と家屋３のシステムが送信する２つのＣＤＣＦ信号が十分なレベルで検出される。ただし、図９に示すように窓タイミングが異なる（即ち帯域窓の周期がずれた）２種類のＣＤＣＦ信号が観測され、また、各システムでは、各ＣＤＣＦ信号に続いて自システムのビーコン信号も観測されることがある。
【００４３】
前述したようにＣＤＣＦ信号には詳細な情報が含まれないため、家屋２が起動したときに自身がどのシステムに従って動作すればよいかが分からない。また、このとき２つのＣＤＣＦ信号に続いて各々、ビーコン信号が送られ、このうち１つのビーコン信号を家屋２が受信する場合、ＣＤＣＦ信号には詳細な情報を含まないため、受信したビーコン信号がどのＣＤＣＦ信号に従って送信されているかまで判断できない。
【００４４】
また、家屋２が適切な起動時動作を行わずに信号送信を開始したとすると、図８に示すように、家屋２のシステムが送信する信号Ｓ２が家屋１と家屋３のシステムに妨害を与えることがある。したがって家屋２の起動時動作では、ＣＤＣＦ信号を用いて干渉回避を行うことが必要である。
【００４５】
本実施形態では、ＣＤＣＦ信号を用いた調停作業と、ビーコン信号を用いた調停作業に関して、モデム起動時に不備なく、効率の良い動作手順を提案する。
また本実施形態は、ＣＤＣＦ信号とビーコン信号との適切な検出と、その検出に基づく動作を行うが、そのとき異なるタイミングのＣＤＣＦ窓がある場合に、その窓タイミングを一致させる操作（窓タイミングの共通化）を行う。これによりシステム妨害となる信号レベルをできるだけ低減する。
２つのＣＤＣＦ窓のタイミングを一致させ、その一致した窓タイミングに則った信号送信を図８の家屋２が行うと、２つのＣＤＣＦ信号を発信した２つのシステム（家屋１と３）の一方では、家屋２からの信号が妨害波となる可能性が大幅に低下する。
【００４６】
以上は本実施形態の前提および概要であるが、以下、具体的な通信装置の構成とその動作を説明する。
【００４７】
《第１実施形態》
【００４８】
図１０は、本実施形態の通信装置のブロック図である。
図解した通信装置は、受信アンプ１１、復調器１２、誤り検出部１５を有する。この３つのブロックは本発明の「受信処理部」に対応する。受信処理部は、不図示の電力線通信網から受信信号を受信し処理する回路である。
受信アンプ１１は、受信信号の利得（ゲイン）を変更可能なゲインアンプである。
復調器１２は、ゲイン調整後の受信信号をデジタル信号に変換し、当該受信信号が送信時に生成されたときの所定の変調方式に応じた方法で復調を行い、デジタルデータに変換する回路である。
誤り検出部１５は、デジタルデータから誤りの有無判定（誤り検出）を行うことが可能で、受信データ（パケット）を抽出するように構成されている回路またはソフトウエア部分である。
【００４９】
図１０の通信装置は、パケット処理部１４と、選択回路３５と、「送信処理回路」としての変調器１６および送信アンプ１７とを備える。
パケット処理部１４は、受信データパケットの送り先を確認し、その他必要なパケット処理を行う回路である。パケット処理部１４には、パケット処理後のデータをさらに処理する上位層ブロック３０が接続される。
【００５０】
パケット処理部１４に対し、選択回路３５を介して変調器１６と送信アンプ１７が縦続接続されている。
変調器１６は、上位層ブロック３０からパケット処理部１４、選択回路３５を介して送られてきた送信データ（パケット）を用いて、所定の変調方式で搬送波（交流電源波）を変調し、これにより送信信号を発生する回路である。
送信アンプ１７は、送信信号の利得を調整する回路である。送信アンプ１７からは、利得調整後の送信信号が不図示の電力線通信網に送り出されることが可能になっている。
【００５１】
図１０に示す本実施形態の通信装置は、「標識信号検出部」としてのビーコン信号検出部３１と、「共存信号検出部」としてのＣＤＣＦ信号検出部３２と、「標識信号発生部」としてのビーコン信号発生部３３と、「共存信号発生部」としてのＣＤＣＦ信号発生部３４と、発生するビーコン信号あるいはＣＤＣＦ信号（または他のパケット）を選択して変調器１６に出力する選択回路３５と、さらに、これらを制御して本実施形態の起動時動作を実行するための制御部２０とを有する。
【００５２】
ビーコン信号検出部３１とＣＤＣＦ信号検出部３２の各入力に、受信アンプ１１の出力が接続され、これにより受信信号の検出が可能になっている。
ビーコン信号検出部３１とＣＤＣＦ信号検出部３２は、それぞれの検出結果を制御部２０に出力可能になっている。
ビーコン検出結果にはビーコン検出の有無だけでなく、そのタイミング（スロットおよびその領域内のサブスロットの特定）が含まれる。ＣＤＣＦ信号検出結果にはＣＤＣＦ信号の受信有無だけでなく、そのＣＤＣＦ信号が割り当てられた帯域窓のタイミング（窓タイミング）が含まれる。
したがって、制御部２０は、自身のシステム情報を変更可能に保持している場合に、検出したビーコン信号やＣＤＣＦ信号が自身のシステムに対応するものか、他のシステムに対応するものかを知ることができる。
【００５３】
ビーコン信号発生部３３とＣＤＣＦ信号発生部３４は、それぞれ制御部２０の制御を受けて、ビーコン信号とＣＤＣＦ信号を発生する回路である。発生したビーコン信号とＣＤＣＦ信号は、制御部２０の制御を受ける選択回路３５によって選択され、変調器１６に入力可能となっている。
【００５４】
つぎに、図１０の通信装置の基本的な動作を説明する。
【００５５】
受信信号が受信アンプ１１に入力されると、受信アンプ１１が受信信号のゲインを調整し、復調器１２、誤り検出部１５、パケット処理部１４で所定の処理が行われる。
復調器１２で受信信号が復調され、誤り検出部１５では誤り検出（および誤り訂正）が行われる。データ抽出部１３からは受信データ（パケットデータ）がパケット処理部１４に出力される。
パケット処理部１４では本装置が受信して処理すべきパケットかどうか判断し、そうである場合には受信データを次の処理（上位層）に渡す。
【００５６】
一方、受信アンプ１１によりゲイン調整された後の受信信号は、ビーコン信号検出部３１とＣＤＣＦ信号検出部３２に対しても入力される。
ビーコン信号検出部３１ではビーコン信号を検出し、その結果を制御部２０に入力する。ＣＤＣＦ信号検出部３２はＣＤＣＦ信号を検出し、その結果を制御部２０に入力する。
【００５７】
制御部２０はビーコン信号検出部３１とＣＤＣＦ信号検出部３２からの結果をもとに、ビーコン信号発生部３３によるビーコン信号の発生、ＣＤＣＦ信号発生部３４によるＣＤＣＦ信号の発生、これら発生した信号を選択回路３５で選択して変調器１６を経て送信アンプ１７から送信する送信動作を制御する。また制御部２０は、ＣＤＣＦ信号の送信タイミングを決める帯域窓のタイミング共通化の処理を送信に先立って予め行うことができる。この共通化の処理は、ビーコン信号やＣＤＣＦ信号の検出結果に応じて実行する場合としない場合がある。
【００５８】
この制御部２０の基本的な制御に加え、付加的な任意な制御または処理として、当該通信装置がＣＤＣＦ信号を送信する場合に、その信号を送信すべきＣＤＣＦ窓の特定を行うことができる。
また、ＣＤＣＦ信号が検出されない等の場合、制御部２０は、ＣＤＣＦ信号の送信要求信号の発生をＣＤＣＦ信号発生部３４に指示することができる。この指示を受けたＣＤＣＦ信号発生部３４は、ＣＤＣＦ信号の送信要求信号を発生させる。
さらに、ビーコン信号が検出できない等の場合、制御部２０は、ビーコン信号の送信要求信号の発生をビーコン信号発生部３３に指示することができる。この指示を受けたビーコン信号発生部３３は、ビーコン信号の送信要求信号を発生させる。
これらの要求信号は、制御部２０の制御の下、選択回路３５で選択され、変調器１６を経由して送信アンプ１７から送信される。制御部２０は、このときの送信要求信号の発生、送信、または、その両方のタイミングを制御する。
【００５９】
なお、通常のデータ送信の場合、上位層から受け取ったデータはパケット処理部１４でパケット化され、選択回路３５に入力される。
選択回路３５は、パケット処理部１４からの送信パケット、ビーコン信号発生部３３からのビーコン信号のパケット、ＣＤＣＦ信号発生部３４からのＣＤＣＦ信号のパケットのうち１つを選択して、変調器１６に入力する。変調器１６では受け取った送信パケットを変調して、その結果を送信アンプ１７に入力する。送信アンプ１７では所定の電力に増幅して電力線通信網に出力する。
【００６０】
つぎに、制御部２０のより詳細な制御手順を説明する。
以下に３通りの手順を説明するが、本発明はこれに限定されない。この３通りの手順を含め本実施形態では、以下の特徴を有する。
【００６１】
制御部２０は、ＣＤＣＦ信号検出部（共存信号検出部）３２が検出するＣＤＣＦ信号（共存信号）の有無とそのＣＤＣＦ窓（帯域窓）のタイミングと、ビーコン信号検出部（標識信号検出部）３１が検出するビーコン信号（識別信号）の有無とに基づいて、以下の場合ごとの各動作、すなわち（１）第１送信、（２）第２送信、（３）現状維持、（４）窓タイミング共通化の動作の何れかの実行、または、ビーコン信号発生部（標識信号発生部）３３およびＣＤＣＦ信号発生部（共存信号発生部）３４への実行指示を行う。
【００６２】
（１）第１送信：
ＣＤＣＦ信号が検出されない場合とＣＤＣＦ信号が所定周期のＣＤＣＦ窓で検出されるがビーコン信号が検出されない場合との少なくとも一方の場合に、ＣＤＣＦ信号とビーコン信号を発生させて送信処理部内の送信アンプ１７から送信する。
（２）第２送信：
複数のＣＤＣＦ信号が、周期がずれた複数のＣＤＣＦ窓で検出されるがビーコン信号が検出されない場合に、複数のＣＤＣＦ窓のタイミングを揃える窓タイミング共通化を行って当該窓タイミングが共通化されたＣＤＣＦ信号とビーコン信号を送信処理部内の送信アンプ１７から送信する。
（３）現状維持：
ＣＤＣＦ信号が所定周期のＣＤＣＦ窓で検出されビーコン信号が検出される場合に、窓タイミング共通化、ＣＤＣＦ信号およびビーコン信号の発生と送信とを全て行わない。
（４）窓タイミング共通化：
複数のＣＤＣＦ信号が、周期がずれた複数のＣＤＣＦ窓で検出され、かつ、ビーコン信号が検出される場合にＣＤＣＦ信号およびビーコン信号の発生と送信を行わない。
【００６３】
以上の（１）〜（４）の動作は、その場合分けにおける信号検出等の手順を限定しないものであり、本実施形態と、それに続く他の実施形態（第２および第３実施形態）に共通に適用される。第１〜第３実施形態では、上記手順の具体的な例を示す。
【００６４】
本実施形態では、一例として、最初にＣＤＣＦ信号とビーコン信号をこの順で検出し、つぎに周期がずれたＣＤＣＦ窓が複数あるかを調べる（窓タイミング確認）という手順で起動時動作を行う。
【００６５】
この手順に即した動作フローを図１１に示し、この図１１を用いて、より具体的な制御例を説明する。
【００６６】
本実施形態の具体的な制御は、制御部２０が、自己が属するシステム（自システム）と、検出されたＣＤＣＦ信号、ビーコン信号の各々が対応する他システムとの関係を把握する場合を例示する。
このシステムの把握は、ビーコン信号を検出して、それに続くシステム情報を読み出すことにより行うことができる。また、ＣＤＣＦ信号とビーコン信号との関係は、その両方を検出後に把握できる。窓タイミング確認は、信号の発生または送信時に必要な窓タイミングの統一（共通化）を行うかの判断基準を得る作業であり、ＣＤＣＦ信号の検出結果の再確認に該当する。
【００６７】
図１１のステップＳＴ０にて制御部２０にて起動が検出される。ここで「起動」とは電源オンの場合、電源はオンしているが当該通信装置（モデム）の機能が休止したスタンバイ状態から起動する場合の両方を含む。
【００６８】
当該起動後に、図９のＣＤＣＦ信号検出部３２が、受信アンプ１１からの受信信号にＣＤＣＦ信号が含まれるかを検出する（ステップＳＴ１Ａ）。
ＣＤＣＦ信号が検出されない場合は、前述した「（１）第１送信」のために、処理フローがステップＳＴ１０に進む。
なお、ビーコン信号は、ＣＤＣＦ信号を送信した他のシステムが、その後に送信するため、ＣＤＣＦ信号を検出できない場合はビーコン信号の検出もできない。
【００６９】
第１送信の動作は、起動している他のシステムがないために自身がマスタ局となるための手続きであり、図９の制御部２０がＣＤＣＦ信号発生部３４、ビーコン信号発生部３３、選択回路３５、変調器１６および送信アンプ１７を制御して実行する。
【００７０】
ステップＳＴ１０で、自システムに対応したＣＤＣＦ窓内タイミング（ブロック１２０ｉ(i=A,B,C,…)：図５（Ａ）参照）でＣＤＣＦ信号を送信開始して帯域予約する。
ステップＳＴ１１でビーコン信号の送信を開始する。このビーコン信号は、自システムに対応したスロット１３０ｉで送る。
その後、当該起動時動作を終了する。
【００７１】
図１１のステップＳＴ１ＡでＣＤＣＦ信号が検出されると、処理フローがステップＳＴ２Ａに進む。
ステップＳＴ２Ａでは、図１０のビーコン信号発生部３３が、受信アンプ１１からの受信信号にビーコン信号が含まれるかを検出する。
ステップＳＴ１Ａで検出されたＣＤＣＦ信号に対応してビーコン信号が検出されない場合は、次のステップＳＴ３Ａで他のＣＤＣＦ窓を探し、ステップＳＴ２ＡとこのＳＴ３Ａを繰り返すことにより、複数のＣＤＣＦ窓がある場合、その全てに対応するビーコン信号の逐次検出を行う。
【００７２】
最初のステップＳＴ２Ａの判断、又は、ステップＳＴ２ＡとＳＴ３Ａを繰り返すループ処理途中の２回目以降のステップＳＴ２Ａの判断で、ビーコン信号が検出されると、処理フローがステップＳＴ５Ａに移行する。
ループ処理でビーコン信号が１度も検出できず、ビーコン信号検出を全てのＣＤＣＦ窓に対して行った場合は処理フローが次のステップＳＴ４Ａに進む。
【００７３】
ステップＳＴ４Ａで他のＣＤＣＦ窓、すなわちステップＳＴ１Ａで検出したＣＤＣＦ窓と周期がずれた他のＣＤＣＦ窓が存在するかを確認する。このステップＳＴ４Ａは、本発明の「第１窓タイミング確認」に該当する。
このステップＳＴ４Ａで他のＣＤＣＦ窓が検出されないときは、自身が参加許可されている自システム、または、これから参加可能な他システムが認識できないので、処理フローをステップＳＴ１０に移行させて自身がマスタ局となる前記処理を行う。
【００７４】
一方、当該ステップＳＴ４Ａにて、ステップＳＴ１Ａで検出されたＣＤＣＦ窓とは周期がずれた他のＣＤＣＦ窓が確認されたときは、次のステップＳＴ１２にて「窓タイミング共通化」を行う。
ここでの窓タイミング共通化は、自システム以外の複数の他システムに対する窓タイミングの共通化である。ここで他システムには、方式の異なるシステムと、同じ方式でも自分自身とシステムＩＤが異なるものが含まれる。
例えば図９の場合に、ある他システムが「システム＃１」で、それに対応するＣＤＣＦ＃１が繰り返し送信されている場合を考える。この場合、窓タイミングの周期と同じ周期（例えば２００[ms]）でＣＤＣＦ信号＃１も繰り返し検出できる。ＣＤＣＦ信号をサーチしている最中に、このＣＤＣＦ信号＃１と交互に、ＣＤＣＦ信号＃３が検出される場合がある。この場合、ＣＤＣＦ信号＃３だけを見ると２００[ms]の一定周期は保たれているが、その周期がＣＤＣＦ信号＃１の周期とずれているため、２種類のＣＤＣＦ信号が交互に観測される。
このような周期のずれを「窓タイミングが異なる」または「窓タイミングがずれている」という。窓タイミングの共通化は、一方の窓タイミング周期を他方の窓タイミング周期に一致させるための作業である。具体的には、図１０の制御部２０の制御により窓タイミング変更要求信号が、例えばＣＤＣＦ信号発生部３４で発生され、選択回路３５で選択されて変調器１６を経由し送信アンプ１７から送信される。この窓タイミング変更要求信号を受信したシステム＃１または＃３のマスタ局は、ＣＤＣＦ信号をサーチし、自身が使用している窓タイミングとタイミングが異なる窓タイミングが検出されると、自身が使用している窓タイミングから、その他の窓タイミングに乗換えを行ってＣＤＣＦ信号を発信する。この窓タイミングの変更要求を行った当該通信装置は、その後のＣＤＣＦ信号受信において窓タイミングのずれが修正され「窓タイミングの共通化」が行われたことを知ることができる。
その後、必要に応じてビーコン信号を送信すると（ステップＳＴ１１）、起動時動作が終了する。
【００７５】
つぎに、図１１のフロー図に戻り、ステップＳＴ２Ａでビーコン信号が検出された場合の処理を説明する。
ビーコン信号が検出されると処理フローがステップＳＴ５Ａに進み、ここで複数のＣＤＣＦ窓の存在が確認される。この処理の内容自体は、前記ステップＳＴ４Ａと同じであるが、ビーコン信号検出後であるため、本発明の「第２窓タイミング確認」に該当する。
【００７６】
このステップＳＴ５Ａの判断が「Ｎｏ」の場合、ＣＤＣＦ信号（ＣＤＣＦ窓）とビーコン信号が１つずつ受信できたことから、本通信装置は自システムのマスタ局の存在を認識できる。よって調停作業は不要であり、図１０の状態Ｓに示す「マスタ局の制御に従う」こととして当該起動時動作を終了する。
この場合、調停の実施による具体的な状態変化（マスタ局になる、システム変更等）がないことから、前記「（３）現状維持」に該当する。
【００７７】
ステップＳＴ５Ａの判断が「Ｙｅｓ」の場合は、前述した窓タイミング共通化（ＳＴ１２）を行うが、ビーコン信号が検出され自システムのマスタ局の存在は確認できていることから、自身がマスタ局となる必要はない。よって、窓タイミング共通化後は、ＣＤＣＦ信号とビーコン信号の送信処理（ＳＴ１０とＳＴ１１）は行わないで、当該起動時動作を終了する。
この場合、前記「（４）窓タイミング共通化」に該当する。このときビーコン信号を発信しているシステムのマスタ局（自システムのマスタ局）の制御に従う（状態Ｓ）。
【００７８】
なお、前述したようにビーコン信号はシステム固有であるため１つ（１種類）しか検出できないが、周期がずれたＣＤＣＦ窓が複数ある場合（図８の周期＃１と＃２参照）に、ビーコン信号が、どのＣＤＣＦ窓に従って発信されたかが分からない。
この場合、各ＣＤＣＦ窓のＣＤＣＦ信号が指定するサブスロットでビーコン信号検出を行うことによって、ＣＤＣＦタイミングとビーコン信号の関係を取得し、ビーコン信号が関係するＣＤＣＦ窓を特定する。
この判断の結果、自システムに関係するビーコン信号が検出された場合には、自システムのマスタ局の制御に従う（状態Ｓ）。
【００７９】
このステップＳＴ５Ａの判断が「Ｙｅｓ」の場合に行われる窓タイミング共通化（ＳＴ１２）で調停作業を行うが、その方法には、複数のＣＤＣＦ窓のうち、自システムのＣＤＣＦ窓と、それと周期がずれている窓タイミングの他システムのＣＤＣＦ窓とを識別した上で、以下の３通りがある。
この調停作業は図１０の制御部２０自身と、その制御下のビーコン信号発生部３３、ＣＤＣＦ信号発生部３４、選択回路３５、変調器１６、送信アンプ１７とによって実行される。
【００８０】
［第１の調停方法］
第１の調停方法は、自システムのマスタ局が利用しているＣＤＣＦ窓のタイミングに他システムのＣＤＣＦ窓を変更させる。
【００８１】
具体的に、たとえば以下の処理が可能である。
制御部２０は、他システムに送る窓タイミング変更要求を発生させる指令をＣＤＣＦ信号発生部３４に出力する。ＣＤＣＦ信号発生部３４は、この指令に基づいて、ＣＤＣＦ信号仕様に規定されているＣＤＣＦ窓内の変更要求ブロック（図５（Ａ）には不図示）で窓タイミング変更要求信号を発生させ、送信する。
その後、この窓タイミング変更要求信号を受信した他システムが窓タイミングの変更を行う。そして、当該窓タイミング変更要求信号を送信した通信装置が、タイミング変更要求を行ったＣＤＣＦ窓でＣＤＣＦ信号が送信されなくなるのを確認する。
この窓タイミングの変更要求と、変更の確認を１回、または、必要なら複数回繰り返すことによりＣＤＣＦ信号の調停作業が行われる。
【００８２】
［第２の調停方法］
第２の調停方法は、自システムが用いているＣＤＣＦ窓を放棄して、他システムが用いているＣＤＣＦ窓への乗り換えを行う。
具体的に、自身がマスタ局でない通信装置は、自システムが利用しているＣＤＣＦ窓に対し窓タイミング変更要求信号を行う。この窓タイミング変更要求に応答して、自システムのマスタ局がＣＤＣＦ窓のタイミングを変更した、当該マスタ局でない通信装置は、その窓タイミングの変更を確認する。
【００８３】
［第３の調停方法］
第３の調停方法は、上記第１と第２の調停方法のどちらを選択するかを、ＣＤＣＦ信号の利用状況に応じて判断する方法である。
ここで利用状況とは、帯域予約による通信か、または、いわゆるベストエフォート型通信かの違いをいう。
帯域予約ではコンテンツを所定の伝送速度を保ったまま伝送するためコンテンツのダウンロード再生または記録などのリアルタイム処理が必要な場合に、最低の通信速度を確保したい用途に適している。ただし、帯域予約が頻繁に行われると、使用可能な周波数または時間帯域が細分化され、空いていても利用できない帯域が増加する可能性があり、その利用効率が悪いことがある。
一方、ベストエフォート型通信では予約がされていない帯域を全て利用できるため効率がよい場合があるが、帯域の多くが予約で埋まっていると通信速度が制限されることから、最低の通信速度が保証できない。
【００８４】
第３の調停方法では、まず、制御部２０はＣＤＣＦ信号検出部３２を制御して、このような利用状況を複数のＣＤＣＦ窓において調べる。
前述したようにＣＤＣＦ信号には、システムごとの帯域予約のための時間領域（ＣＤＣＦブロック）のほかに、帯域予約を行わないベストエフォート型通信のための時間領域が存在する。制御部２０は、図９のＣＤＣＦ信号検出部３２の検出結果から、ＣＤＣＦ窓内の信号タイミングも検出できるため、このような帯域予約型かベストエフォート型かのＣＤＣＦ信号の利用状況も認識可能である。
【００８５】
制御部２０は、ベストエフォート型通信を行うＣＤＣＦ窓の窓タイミングを、帯域予約型通信を行う他のＣＤＣＦ窓の窓タイミングに変更するための手続きを実行させる。この場合、自システムのＣＤＣＦ窓がどちらであるかは無関係であり、帯域予約型通信に統一されるように、上記第１または第２の調停方法の何れかを実行する。
【００８６】
なお、これとは逆にベストエフォート型通信への統一も可能である。
例えば、自己の通信装置が想定しているアプリケーションにとって最低速度保証は不要であり、予約されている帯域の利用効率が悪い場合には、ベストエフォート型通信に統一することも可能である。
何れにしても、選択された第１または第２の調停方法に従って起動時動作が行われる。
【００８７】
《第２実施形態》
本実施形態では、最初にビーコン信号をＣＤＣＦ窓には関係なく検出し、次にＣＤＣＦ信号を検出するという手順で起動時動作を行う。
【００８８】
この手順が異なる以外は、第１実施形態と共通する。すなわち、図１０の構成は同じであり、また図１〜図９も本実施形態に適用される。また、前述した「（１）第１送信」「（２）第２送信」「（３）現状維持」「（４）窓タイミング共通化」の記載、ならびに、その何れかを実施または制御することを、制御部２０が、ＣＤＣＦ信号の有無とそのＣＤＣＦ窓のタイミングと、ビーコン信号の有無とに基づいて行うこと自体は、第１実施形態と同じである。
本実施形態が第１実施形態と異なるのは図１２に示す手順であり、以下、この手順を説明する。
【００８９】
図１２１のステップＳＴ０にて制御部２０にて起動が検出される。ここで「起動」とは電源オンの場合、電源はオンしているが当該通信装置（モデム）の機能が休止したスタンバイ状態から起動する場合の両方を含む。
【００９０】
当該起動後に、図１０のビーコン信号検出部３１が、受信アンプ１１からの受信信号にビーコン信号が含まれるかを検出する（ステップＳＴ２Ｂ）。ＣＤＣＦ窓が無くともビーコン信号は検出可能である。
【００９１】
ビーコン信号が検出されない場合、図１０のＣＤＣＦ信号検出部３２が、受信アンプ１１からの受信信号にＣＤＣＦ信号が含まれるかを検出する（ステップＳＴ１Ｂ）。
ＣＤＣＦ信号が検出されない場合は、前述した「（１）第１起動」のために、処理フローがステップＳＴ１０に進む。
【００９２】
第１送信の動作は、起動している他のシステムがないために自身がマスタ局となるための手続きであり、図１０の制御部２０がＣＤＣＦ信号発生部３４、ビーコン信号発生部３３、選択回路３５、変調器１６および送信アンプ１７を制御して実行する。
【００９３】
ステップＳＴ１０において、ＣＤＣＦ窓内の未使用のブロック１２０ｉでＣＤＣＦ信号を送信開始して帯域予約する。
ステップＳＴ１１でビーコン信号の送信を開始する。このビーコン信号の送信は、予約したサブスロット１３０ｉを利用して行われる。
その後、当該起動時動作を終了する。
【００９４】
図１２のステップＳＴ１ＢでＣＤＣＦ信号が検出されると、処理フローがステップＳＴ４Ｂに進む。
ステップＳＴ４Ｂで他のＣＤＣＦ窓、すなわちステップＳＴ１Ｂで検出したＣＤＣＦ窓と周期がずれた他のＣＤＣＦ窓が存在するかを確認する。このステップＳＴ４Ｂは、本発明の「第１窓タイミング確認」に該当する。
このとき異なるタイミングの複数のＣＤＣＦ窓が検出された場合に、ビーコン信号がどのＣＤＣＦ窓に従って送信されているかを知ることができる。具体的には、各ＣＤＣＦ窓のＣＤＣＦ信号が指定するサブスロットでビーコン信号検出を行うことによって、ＣＤＣＦタイミングとビーコン信号の関係を取得し、ビーコン信号が関係するＣＤＣＦ窓を特定することができる。この確認作業は、後に実行される窓タイミングの統一（共通化）での判断基準を得る作業であり、ＣＤＣＦ信号の検出結果の再確認に該当する。
【００９５】
このステップＳＴ４Ｂで他のＣＤＣＦ窓が検出されないときは、ビーコン信号が検出されていないので自システムが認識できず、しかも、ＣＤＣＦ窓の種類が１つなので窓タイミング共通化を行う必要がないため、処理フローをステップＳＴ１０に移行させて自身がマスタ局となる前記処理を行う。
【００９６】
一方、当該ステップＳＴ４Ｂにて、ステップＳＴ１Ｂで検出されたＣＤＣＦ窓とは周期がずれた他のＣＤＣＦ窓が確認されたときは、次のステップＳＴ１２にて「窓タイミング共通化」を行う。
窓タイミング共通化の内容は、第１実施形態と同様である。
即ち、図１０の制御部２０の制御により窓タイミング変更要求信号が、例えばＣＤＣＦ信号発生部３４で発生され、選択回路３５で選択されて変調器１６を経由し送信アンプ１７から送信される。この窓タイミング変更要求信号を受信したシステムのマスタ局は、ＣＤＣＦ信号をサーチし、自身が使用している窓タイミングとタイミングが異なる窓タイミングが検出されると、自身が使用している窓タイミングから、その他の窓タイミングに乗換えを行ってＣＤＣＦ信号を発信する。窓タイミングの変更要求を行った当該通信装置は、その後のＣＤＣＦ信号受信において窓タイミングのずれが修正され「窓タイミングの共通化」が行われたことを知ることができる。
その後、必要に応じてビーコン信号を送信すると（ステップＳＴ１１）、起動時動作が終了する。
【００９７】
つぎに、図１２のステップＳＴ２Ｂでビーコン信号が検出された場合の処理を説明する。
ビーコン信号が検出されると処理フローがステップＳＴ５Ｂに進み、ここで複数のＣＤＣＦ窓の存在が確認される。この処理の内容自体は、前記ステップＳＴ４Ｂ（即ち、第１実施形態のＳＴ４Ａ）と共通するが、ビーコン信号検出後であるため、本発明の「第２窓タイミング確認」に該当する。
【００９８】
このステップＳＴ５Ｂの判断が「Ｎｏ」の場合、ＣＤＣＦ信号（ＣＤＣＦ窓）とビーコン信号が１つずつ受信できたことから、本通信装置は自システムのマスタ局の存在を認識できる。よって調停作業は不要であり、図１２の状態Ｓに示す「マスタ局の制御に従う」こととして当該起動時動作を終了する。
この場合、調停の実施による具体的な状態変化（マスタ局になる、システム変更等）がないことから、前記「（３）現状維持」に該当する。
【００９９】
ステップＳＴ５Ｂの判断が「Ｙｅｓ」の場合は、前述した窓タイミング共通化（ＳＴ１２）を行うが、ビーコン信号が検出され自システムのマスタ局の存在は確認できていることから、自身がマスタ局となる必要はない。よって、窓タイミング共通化後は、ＣＤＣＦ信号とビーコン信号の送信処理（ＳＴ１０とＳＴ１１）は行わないで、当該起動時動作を終了する。
この場合、前記「（４）窓タイミング共通化」に該当する。このときビーコン信号を発信しているシステムのマスタ局（自システムのマスタ局）の制御に従う（状態Ｓ）。
【０１００】
なお、前述したようにビーコン信号はシステム固有であるため１つ（１種類）しか検出できないが、周期がずれたＣＤＣＦ窓が複数ある場合（図８の周期＃１と＃２参照）に、ビーコン信号が、どのＣＤＣＦ窓に従って発信されたかが分からない。
この場合、各ＣＤＣＦ窓のＣＤＣＦ信号が指定するサブスロットでビーコン信号検出を行うことによって、ＣＤＣＦタイミングとビーコン信号の関係を取得し、ビーコン信号が関係するＣＤＣＦ窓を特定する。
この判断の結果、自システムに関係するビーコン信号が検出された場合には、自システムのマスタ局の制御に従う（状態Ｓ）。
【０１０１】
《第３実施形態》
本実施形態では、ＣＤＣＦ信号の検出、ＣＤＣＦ窓の共通化作業を先に行い、その後、ビーコン信号の検出を行うという手順で起動時動作を行う。
【０１０２】
この手順が異なる以外は、第１実施形態と共通する。すなわち、図１０の構成は同じであり、また図１〜図９も本実施形態に適用される。また、前述した「（１）第１送信」「（２）第２送信」「（３）現状維持」「（４）窓タイミング共通化」の記載、ならびに、その何れかを実施または制御することを、制御部２０が、ＣＤＣＦ信号の有無とそのＣＤＣＦ窓のタイミングと、ビーコン信号の有無とに基づいて行うこと自体は、第１実施形態と同じである。
本実施形態が第１実施形態と異なるのは図１３に示す手順であり、以下、この手順を説明する。
【０１０３】
図１３のステップＳＴ０にて制御部２０にて起動が検出される。ここで「起動」とは電源オンの場合、電源はオンしているが当該通信装置（モデム）の機能が休止したスタンバイ状態から起動する場合の両方を含む。
【０１０４】
当該起動後に、図１０のＣＤＣＦ信号検出部３２が、受信アンプ１１からの受信信号にＣＤＣＦ信号が含まれるかを検出する（ステップＳＴ１Ｃ）。
ＣＤＣＦ信号が検出されない場合は、前述した「（１）第１起動」のために、処理フローがステップＳＴ１０に進む。
【０１０５】
第１送信の動作は、起動している他のシステムがないために自身がマスタ局となるための手続きであり、図１０の制御部２０がＣＤＣＦ信号発生部３４、ビーコン信号発生部３３、選択回路３５、変調器１６および送信アンプ１７を制御して実行する。
【０１０６】
ステップＳＴ１０において、ＣＤＣＦ窓内の未使用のブロック１２０ｉでＣＤＣＦ信号を送信開始して帯域予約する。
ステップＳＴ１１でビーコン信号の送信を開始する。このビーコン信号の送信は、予約したスロット１３０ｉを利用して行われる。
その後、当該起動時動作を終了する。
【０１０７】
図１３のステップＳＴ１ＣでＣＤＣＦ信号が検出されると、処理フローがステップＳＴ６に進む。
ステップＳＴ６で複数のＣＤＣＦ窓の存在が確認される。この処理の内容自体は、第１実施形態のステップＳＴ４Ａと同じである。ただし、本実施形態では、「窓タイミング確認」は当該ステップＳＴ６のみとなっている。
【０１０８】
このステップＳＴ６で検出されるＣＤＣＦ窓が単一の場合、すなわち当該判断が「Ｎｏ」の場合は、処理フローがステップＳＴ２Ｃに進む。
【０１０９】
ステップＳＴ２Ｃでは、図１０のビーコン信号検出部３１が、受信アンプ１１からの受信信号にビーコン信号が含まれるかを検出する。
【０１１０】
ビーコン信号が全く検出されない場合、前述した「（１）第１起動」のために、処理フローがステップＳＴ１０に進み、前記と同様に自身がマスタ局となるための手続き、すなわちＣＤＣＦ信号の送信（ＳＴ１０）とビーコン信号の送信（ＳＴ１１）を行って、当該起動時動作を終了する。
【０１１１】
一方、前記ステップＳＴ６で周期がずれた複数のＣＤＣＦ窓が確認されると、次のステップＳＴ１２にて「窓タイミング共通化」を行う。
窓タイミング共通化の内容は、第１実施形態と同様である。
また、当該共通化に続く上記ステップＳＴ２Ｃの判断が「Ｎｏ」となり、ＣＤＣＦ信号およびビーコン信号の発生と送信処理（ＳＴ１０とＳＴ１１）に移行した場合、上記共通化と、ステップＳＴ１０とＳＴ１１の処理を含む調停作業は、第１実施形態で説明した［第１の調停方法］［第２の調停方法］［第３の調停方法］の３通りの方法があり、その詳しい内容は第１実施形態と同様であるため、ここでの説明を省略する。
【０１１２】
ステップＳＴ２Ｃで、自システムに関係するビーコン信号が検出されると、システムの把握が可能である。システムの把握は、ビーコン信号を検出して、それに続くシステム情報を読み出すことにより行うことができる。
これにより本通信装置は自システムのマスタ局の存在を認識できる。よって調停作業は不要であり、図１３の状態Ｓに示す「マスタ局の制御に従う」こととして当該起動時動作を終了する。このマスタ局は、ビーコン信号を発信している自システムのマスタ局である。
この場合、調停の実施による具体的な状態変化（マスタ局になる、システム変更等）がないことから、前記「（３）現状維持」に該当する。
【０１１３】
なお、ステップＳＴ２Ｃでは、自システムの把握ができない場合、状態Ｓでは自己が保持するシステム識別情報と異なる他システムのマスタ局の制御に従うこともあるが、その場合、ビーコン信号に応答する必要があり、その動作は当該起動時動作後のシステム変更動作でなされる。
【０１１４】
なお、図１１〜図１３の手順は一例に過ぎず、本発明の範囲内で他の手順も適用可能である。
以上の本発明の実施形態では、ＣＤＣＦ信号を用いた調停作業と、ビーコン信号を用いた調停作業に関して、モデム起動時に不備なく、効率の良い動作手順を実行することができる。
【図面の簡単な説明】
【０１１５】
【図１】実施形態に関わる電力線通信システムの機器接続形態を示す図である。
【図２】実施形態で用いた、同一家屋内におけるモデム間干渉の説明図である。
【図３】実施形態で用いた、異なる家屋間におけるモデム間干渉の説明図である。
【図４】実施形態で用いた、帯域割り当ての概略説明図である。
【図５】（Ａ）はＣＤＣＦ窓とビーコン信号の割り当て図、（Ｂ）はＣＤＣＦ窓（帯域窓）の構成図、（Ｃ）は通信帯域の構成図である。
【図６】実施形態で用いたさらに具体的な例として、（Ａ）は帯域割り当て図、（Ｂ）はＣＤＣＦ窓（帯域窓）の構成図、（Ｃ）は通信帯域の構成図である。
【図７】実施形態で用いたシステムとして３つの家屋を示す図である。
【図８】図７の家屋間でシステム干渉が生じたときの説明図である。
【図９】図７の家屋２内のモデムが起動されたときに観測される信号例を示す図である。
【図１０】第１〜第３実施形態に共通な通信装置のブロック図である。
【図１１】第１実施形態の起動時動作方法を示すフローチャートである。
【図１２】第２実施形態の起動時動作方法を示すフローチャートである。
【図１３】第３実施形態の起動時動作方法を示すフローチャートである。
【符号の説明】
【０１１６】
１−１,１−２等…通信装置、１０…電力線、１１…受信アンプ、１２…復調器、１４…パケット処理部、１５…誤り検出部、１６…変調器、１７…送信アンプ、２０…制御部、３０…上位層ブロック、３１…ビーコン信号検出部、３２…ＣＤＣＦ信号検出部、３３…ビーコン信号発生部、３４…ＣＤＣＦ信号発生部、３５…選択回路、７１,７２…機器、１１１…電灯線、１２０…ＣＤＣＦ窓、１２０Ａ,１２０Ｂ,１２０Ｃ…ＣＤＣＦ窓のブロック、１２１,１２２…ＣＤＣＦ信号、１３０ｉ…スロット、１３１〜１３３…サブスロット、１４１,１４２…ビーコン信号
【図１】
2008011301.tif 000003
【図２】
2008011301.tif 000004
【図３】
2008011301.tif 000005
【図４】
2008011301.tif 000006
【図５】
2008011301.tif 000007
【図６】
2008011301.tif 000008
【図７】
2008011301.tif 000009
【図８】
2008011301.tif 000010
【図９】
2008011301.tif 000011
【図１０】
2008011301.tif 000012
【図１１】
2008011301.tif 000013
【図１２】
2008011301.tif 000014
【図１３】
2008011301.tif 000015